(57)【要約】【課題】保管場所が小さくて済む段ボールケース及びその材料となる片面段ボールを提供する。【解決手段】本発明の段ボールケースは、段ボールシート１０を折り曲げることによって形成され、後側面２０，底面２２，前側面２４，天面２６からなる四角筒部と、この四角筒部の両端開口を塞ぐ複数のフラップ２８〜３５とを備えている。段ボールシート１０は板の波目が延びる方向と直交方向に多数が連結されて帯状片面段ボール４０を構成している。前記帯状片面段ボール４０は巻取ロールに巻回された状態で保管することができる。【選択図】図２
2010179940.tif 000002
【特許請求の範囲】
【請求項１】
段ボールシートを折り曲げることによって形成された、３個以上の側面からなる角筒部とこの角筒部の両端開口を塞ぐ複数のフラップとからなる段ボールケースにおいて、
前記段ボールシートが、帯状の波板と、その一面に接着された帯状の平板とからなる帯状の片面段ボールであって、前記波板の波目が延びる方向と直交方向に多数の箱用段ボールシートを連結してなる帯状の片面段ボールから切り取られたものであることを特徴とする段ボールケース。
【請求項２】
３個以上の側面からなる角筒部と、この角筒部の両端開口を塞ぐ複数のフラップとからなる段ボールケースを組立可能な段ボールシートが多数連結され、巻回された者であることを特徴とする帯状の片面段ボール。
【請求項３】
段ボールシートは、糊付け面部及び側面部と、各側面の両端辺を基端とする三対以上のフラップとを備え、前記糊付け面部と隣接する段ボールシートの側面部との境界部分をミシン線にすることにより、前記隣接する段ボールシートと切り離し可能に連結されていることを特徴とする請求項２に記載の帯状片面段ボール。
【発明の詳細な説明】
【技術分野】
【０００１】
本発明は、開口部を複数のフラップで封函するタイプの段ボールケースに関し、特には、比較的軽量で且つ破損のおそれがない物品の収納に適した段ボールケースに関する。
【背景技術】
【０００２】
段ボールを折り曲げて箱にした段ボールケースは、強靱で且つクッション性を有することから様々な物品の収納ケースとして使用されている。特に、上下の開口を複数のフラップで封函するいわゆるＡ式段ボールケースは、折りたたんで保管できるため、そのままの形で積み上げられる他の段ボールケースに比べると保管場所が小さくて済む(特許文献１参照)。
【０００３】
通常、Ａ式段ボールケースを構成する段ボールには、波板の両面に平板が接着された両面段ボールが用いられる。両面段ボールケースであれば、積載時・運搬時に収納物品の荷重を支えることができる。
【先行技術文献】
【特許文献】
【０００４】
【特許文献１】特開2007-269386号公報
【発明の概要】
【発明が解決しようとする課題】
【０００５】
しかし、段ボールケースに収納される物品は様々であり、軽量な物品の場合は積載時、運搬時であってもそれほど大きな荷重が段ボールケースにかからない。また、折りたたんで保管できるとはいえ両面段ボールは通常の紙に比べると厚みが大きく、嵩張る。
本発明が解決しようとする課題は、保管場所が小さくて済む段ボールケース及びその材料となる片面段ボールを提供することである。
【課題を解決するための手段】
【０００６】
本発明は、上記課題を解決するために成されたものであり、段ボールシートを折り曲げることによって形成された、３個以上の側面からなる角筒部とこの角筒部の両端開口を塞ぐ複数のフラップとからなる段ボールケースであって、
前記段ボールシートが、帯状の波板と、その一面に接着された帯状の平板とからなる帯状の片面段ボールであって、前記波板の波目が延びる方向と直交方向に多数の箱用段ボールシートを連結してなる帯状の片面段ボールから切り取られたものであることを特徴とする。
【０００７】
また、本発明は、３個以上の側面からなる角筒部と、この角筒部の両端開口を塞ぐ複数のフラップとからなる段ボールケースを組立可能な段ボールシートが多数連結され、巻回されたものであることを特徴とする帯状の片面段ボールである。
【０００８】
この場合、前記段ボールシートが、糊付け面部及び側面部と、各側面の両端辺を基端とする三対以上のフラップとを備え、前記糊付け面部と、隣接する段ボールシートの側面部との境界部分をミシン線にすることにより、前記隣接する段ボールシートと切り離し可能に連結されているとよい。
【発明の効果】
【０００９】
本発明では、段ボールケースの材料となる段ボールシートを片面段ボールから構成したので、両面段ボールからなる段ボールケースに比べて原料を節約できると共に軽量化を図ることができる。しかも、多数の段ボールシートを繋げて帯状の片面段ボールにしたので、段ボールケースを形成する前は、帯状片面段ボールを巻取ロールに巻回した状態で保管しておくことができる。また、段ボールケースを形成するときは、巻回された帯状片面段ボールから必要な分だけ引き出し、必要な数の段ボールシートを切り離して使用することができるので、使い勝手がよい。
【図面の簡単な説明】
【００１０】
【図１】本発明の一実施例である段ボールケースを後側面の左側からみた斜視図。
【図２】段ボールケースの展開図(a)、段ボールケースの長手方向に沿う断面図(b)。
【図３】帯状段ボールの平面図。
【図４】帯状段ボールの製造工程を示す図。
【発明を実施するための形態】
【００１１】
本発明の一実施例を図を用いて説明する。図１に示すように、本実施例に係る段ボールケース１は立方体状のケースであり、図２に示す段ボールシート１０を折り曲げ、組み立てることにより形成される。
段ボールシート１０は、波板１２の一面に平板１４が接着された片面段ボールであり、波板１２の波線が段ボールシート１０の幅方向(図１において矢印Ａで示す方向）に延びるように波板１２及び平板１４は接着されている。
【００１２】
段ボールシート１０は、糊付け面１８と４個の側面（後側面２０、底面２２、前側面２４、天面２６）を備えている。また、段ボールシート１０は、後側面２０の左右辺部を基端とする後側面フラップ２８，２９、底面２２の左右辺部を基端とする底面フラップ３０，３１、前側面２４の左右辺部を基端とする前側面フラップ３２，３３、天面２６の左右辺部を基端とする天面フラップ３４，３５を備えている。隣接する各面の境界部分、及び各面と各フラップとの境界部分には折曲線(図２において一点鎖線で示す）が形成され、左右両側の各フラップの境界部分は切断されている。
以上より、本実施例の段ボールケース１は、４つの側面２０，２２，２４，２６からなる四角筒部と、この四角筒部の左右両端の開口を塞ぐ複数のフラップ２８〜３５とを備えている。
【００１３】
図３に示すように、本実施例では、段ボールシート１０は多数繋がった状態で巻取ロール５６に巻き取られている(図４参照)。ここでは、多数の段ボールシート１０が繋がり、細長い帯状となったものを帯状段ボール４０と称する。図３中、「ケースNo.1」「ケースNo.2」で表す範囲が、それぞれ１個の段ボールケース１となる段ボールシート１０を示している。隣接する段ボールシート１０は、糊付け面１８と天面２６との間のミシン線によって繋がっている。
【００１４】
糊付け面１８は、その四辺部のうち後側面２０との境界部分に折曲線が形成され、隣接する段ボールシート１０の天面２６との境界部分にミシン線が形成されている。糊付け面１８の左右部の矩形片部Ｓ(図３においてハッチングで示した領域）は段ボールケース１を形成する際に取り除かれる不要な部分である。矩形片部Ｓとフラップとの境界部分は切断され、糊付け面１８との境界部分にはミシン線が形成されている。
【００１５】
前記帯状段ボール４０は次のように製造される。即ち、図４に示すように、波板用原紙４１が波板原紙供給ロール４２から供給され、一対の段ロール４３，４４により波目が付された後、図示せぬ糊ロールによりその山の部分に糊が付される。一方、平板原紙供給ロール４５から平板用原紙４６が供給され、両原紙４１，４６が段ロール４４と平ロールであるプレスロール４７の間で糊により接着される。このようにして形成された帯状の片面段ボールは、罫入装置５０により折曲線が形成され、スリッター装置５２によって各フラップ間が切断される。また、切込装置５４によって各ミシン線が形成されて帯状段ボール４０となる。この後、帯状段ボール４０は、図示しない巻取装置によって巻取ロール５６に巻き取られる。
【００１６】
巻取ロール５６に巻回された帯状段ボール４０は必要な分だけ巻き出し、ミシン線で切り離して段ボールシート１０とされる。切り離された段ボールシート１０は内側面を上にして底面２２上に物品Ｂを乗せた後、後側面２０，前側面２４，天面２６を折り曲げて糊付け面１８と天面２６とを接着剤で接着する。これにより４つの面２０，２２，２４，２６からなる四角筒部が形成される。なお、段ボールシート１０は、波板側、平板側のいずれを内側面としても良い。
その後、各フラップを折曲線に沿って折り曲げて各開口を塞ぐ。これにより、物品Ｂを収納した段ボールケース１が形成される。
【００１７】
このように、本実施例では段ボールケース１の材料となる段ボールシート１０を片面段ボールから構成し、しかも、多数の段ボールシート１０を繋げて帯状段ボール４０にした。このため、段ボールケース１の材料となる帯状段ボール４０を巻取ロール５６に巻回した状態で保管しておくことができ、保管場所を小さくすることができる。
また、片面段ボールとしたことにより、段ボールケース１の軽量化を図ることができる。
【００１８】
なお、本発明は上記実施例に限定されるものではなく、例えば次のように変更することが可能である。
巻取ロール５６から帯状段ボール４０を引き出す作業、隣接する段ボールシート１０を切り離す作業、各段ボールシート１０の底面２２上に物品Ｂを載せる作業、段ボールシート１０を折り曲げて製函する一連の作業を自動で行うことも可能である。また、これら作業のいくつかを自動で行っても良い。
段ボールケースは四角筒状に限らず、三角筒状や六角筒状でも良い。
上記実施例では、段ボールシートで物品を包みながら段ボールケースを組み立てたが、段ボールケースの角筒部を形成し、両端の開口のいずれかをフラップで閉塞してから物品を収納し、残りのフラップを折り曲げて段ボールケースを完成させても良い。
【符号の説明】
【００１９】
１・・・段ボールケース
１０・・・段ボールシート
１２・・・波板
１４・・・平板
２０・・・後側面
２２・・・底面
２４・・・前側面
２６・・・天面
２８〜３５・・・フラップ
４０・・・帯状段ボール
５６・・・巻取ロール
【図１】
2010179940.tif 000003
【図２】
2010179940.tif 000004
【図３】
2010179940.tif 000005
【図４】
2010179940.tif 000006